(57)【要約】【課題】枠部材の交換性に優れ、かつ枠部材の熱変形に起因した問題を防止すること。【解決手段】躯体Ｆに支持させた開口枠１０と、開口枠１０よりも室内側に位置する部位に配設した額縁部材４０とを備え、開口枠１０に支持させた枠部材３１によって開口枠１０の室内側の見込み面と額縁部材４０の室外側の見込み面とを覆うようにした建具において、額縁部材４０を躯体Ｆに支持させ、枠部材３１は額縁部材４０との互いに対向する見込み面の間のみを接着剤５０にて接着した。【選択図】図１
2012202118.tif 000002
【特許請求の範囲】
【請求項１】
躯体に支持させた開口枠と、前記開口枠よりも室内側に位置する部位に配設した額縁部材とを備え、前記開口枠に支持させた枠部材によって前記開口枠の室内側の見込み面と前記額縁部材の室外側の見込み面とを覆うようにした建具において、
前記額縁部材を躯体に支持させ、かつ前記枠部材は前記額縁部材との互いに対向する見込み面の間のみを接着剤にて接着したことを特徴とする建具。
【請求項２】
前記額縁部材の室外側端部と前記枠部材の当該額縁部材に対向する面との間には、前記額縁部材が配設された際に前記接着剤を貯留するための貯留空間を設けたことを特徴とする請求項１に記載の建具。
【請求項３】
前記額縁部材は、板状を成す額縁本体と、前記額縁本体の室外側縁部に装着される固定具とを備え、
前記固定具は、第１挟持片と、第２挟持片とを有し、前記第１挟持片と前記第２挟持片との間に前記額縁本体を挟持し、
前記躯体の室内側の見込面と対向する前記第２挟持片を介して躯体に固着具を締結することにより、前記固定具を躯体に支持させたことを特徴とする請求項１に記載の建具。
【請求項４】
前記第１挟持片は、全面が前記枠部材によって覆われる大きさに形成したことを特徴とする請求項３に記載の建具。
【請求項５】
前記固定具には、前記第１挟持片及び前記第２挟持片の少なくとも一方に、これら第１挟持片及び第２挟持片の相互間隔を減少させる突起を形成したことを特徴とする請求項３に記載の建具。
【請求項６】
前記開口枠は、室内側に向けて延設し、前記枠部材に対向して配置される対向片部を有し、かつこの対向片部に係合突起を形成し、前記係合突起を前記額縁部材の裏面に係合させることにより、前記開口枠を介して前記額縁部材を躯体に支持させることを特徴とする請求項１に記載の建具。
【発明の詳細な説明】
【技術分野】
【０００１】
本発明は、建具に関するもので、より詳細には、開口枠よりも室内側に位置する部位に、額縁部材を装着するようにした建具に関するものである。
【背景技術】
【０００２】
ガラス窓等の建具には、開口枠の見込み面を枠部材によって覆うようにしたものが提供されている。枠部材は、例えば合成樹脂を材料として成形され、その縁部が室内側に延設されており、額縁部材において室外側に位置する見込み面に重ねて配設されている（例えば、特許文献１参照）。この建具では、開口枠と枠部材とによって収容部を構成し、この収容部に額縁部材の縁部を収容させるようにしている。
【先行技術文献】
【特許文献】
【０００３】
【特許文献１】特開２０１０−８４５１３号公報
【発明の概要】
【発明が解決しようとする課題】
【０００４】
合成樹脂製の枠部材によって開口枠の見込み面を覆うようにした建具によれば、意匠性の点で有利となるばかりでなく、アルミニウム等の金属が剥き出しとなった建具に比べて防露性の点でも有利となる。しかしながら、合成樹脂製の枠部材には、日射等の影響による温度変化によって熱変形を来す恐れがある。枠部材が熱変形を来した場合には、額縁部材から離隔することになり、外観品質上の問題を招来するばかりでなく、額縁部材の取付強度が低下する等、建具としての品質を損なう要因となる。
【０００５】
こうした問題を解決するには、例えば収容部の内部に流動性を有した接着剤を充填し、収容部と額縁部材との間を接着剤によって接着することが考えられる。つまり、枠部材と額縁部材との間を接着すれば、枠部材の熱変形を事態を未然に防止し、建具の品質低下を防止することができるようになる。しかしながら、収容部に充填した接着剤は、挿入される額縁部材によって収容部の奥方に押しやられるため、開口枠と枠部材との接合部や開口枠と額縁部材との接合部に至り、それぞれの相互間をも接着する恐れがある。このため、枠部材と開口枠との接着状態を解除することが困難となり、例えば枠部材を交換する必要が生じた場合には、開口枠ごと交換せざるを得ないという問題を招来することになる。
【０００６】
本発明は、上記実情に鑑みて、枠部材の交換性に優れ、かつ枠部材の熱変形に起因した問題を防止することのできる建具を提供することを目的とする。
【課題を解決するための手段】
【０００７】
上記目的を達成するため、本発明に係る建具は、躯体に支持させた開口枠と、前記開口枠よりも室内側に位置する部位に配設した額縁部材とを備え、前記開口枠に支持させた枠部材によって前記開口枠の室内側の見込み面と前記額縁部材の室外側の見込み面とを覆うようにした建具において、前記額縁部材を躯体に支持させ、かつ前記枠部材は前記額縁部材との互いに対向する見込み面の間のみを接着剤にて接着したことを特徴とする。
【０００８】
この発明によれば、枠部材と額縁部材との間を接着剤によって接着しているため、枠部材に熱変形を来した場合にも額縁部材から離隔する事態を防止することができ、外観品質や額縁部材の取付強度を低下させる恐れがない。しかも、接着剤は枠部材と額縁部材との間を接着するだけであり。開口枠と枠部材とは、この接着剤にて接着されないため、額縁部材と躯体との間及び枠部材と開口枠との間を互いに容易に分離することができる。
【０００９】
また、本発明は、上述した建具において、前記額縁部材の室外側端部と前記枠部材の当該額縁部材に対向する面との間には、前記額縁部材が配設された際に前記接着剤を貯留するための貯留空間を設けたことを特徴とする。
【００１０】
この発明によれば、枠部材と額縁部材との間の接着剤が額縁部材の挿入の際に奥方へ移動したとしても、これを貯留空間に留めておくことができ、枠部材と開口枠との接合部に接着剤が至る事態を防止できる。
【００１１】
また、本発明は、上述した建具において、前記額縁部材は、板状を成す額縁本体と、前記額縁本体の室外側縁部に装着される固定具とを備え、前記固定具は、第１挟持片と、第２挟持片とを有し、前記第１挟持片と前記第２挟持片との間に前記額縁本体を挟持し、前記躯体の室内側の見込面と対向する前記第２挟持片を介して躯体に固着具を締結することにより、前記固定具を躯体に支持させたことを特徴とする。
【００１２】
この発明によれば、額縁部材を固定具とこれに挟持される額縁本体とで構成し、躯体に対してはネジ等の固着具によって固定具を支持させるようにしているため、固定具並びに額縁部材を躯体に対して強固に固定することができる。しかも、予め固定具の第１挟持片と枠部材との間を接着した状態で固定具に額縁本体を挟持させることができるため、枠部材を接着する接着剤が奥方に移動する事態を招来することがない。
【００１３】
また、本発明は、上述した建具において、前記第１挟持片は、全面が前記枠部材によって覆われる大きさに形成したことを特徴とする。
【００１４】
この発明によれば、第１挟持片の全面が枠部材によって覆われるため、外観品質を損なうことがない。
【００１５】
また、本発明は、上述した建具において、前記固定具には、前記第１挟持片及び前記第２挟持片の少なくとも一方に、これら第１挟持片及び第２挟持片の相互間隔を減少させる突起を形成したことを特徴とする。
【００１６】
この発明によれば、第１挟持片及び第２挟持片の相互間に額縁本体を圧入しさえすれば、これら第１挟持片と第２挟持片との間に額縁本体をより確実に挟持することが可能となる。
【００１７】
また、本発明は、上述した建具において、前記開口枠は、室内側に向けて延設し、前記枠部材に対向して配置される対向片部を有し、かつこの対向片部に係合突起を形成し、前記係合突起を前記額縁部材の裏面に係合させることにより、前記開口枠を介して前記額縁部材を躯体に支持させることを特徴とする。
【００１８】
この発明によれば、係合突起及び開口枠を介して額縁部材を躯体に支持させることができる。しかも、開口枠に対向片部を設けるようにしているため、部品点数が増大することもない。
【発明の効果】
【００１９】
本発明によれば、枠部材と額縁部材との間を接着剤によって接着しているため、枠部材に熱変形を来した場合にも額縁部材から離隔する事態を防止することができ、外観品質や額縁部材の取付強度を低下させる恐れがない。しかも、接着剤は枠部材と額縁部材との間を接着するだけであり。開口枠と枠部材とは、この接着剤にて接着されないため、額縁部材と躯体との間及び枠部材と開口枠との間を互いに容易に分離することができる。
【図面の簡単な説明】
【００２０】
【図１】図１は、本発明の実施の形態１である建具の要部拡大横断面図である。
【図２】図２は、図１に示した建具の横断面図である。
【図３】図３は、図１に示した建具の縦断面図である。
【図４】図４は、図１に示した建具に適用する固定具の斜視図である。
【図５】図５は、図４に示した固定具の断面図である。
【図６】図６は、図１に示した建具において額縁部材を取り付ける状態を示す要部横断面図である。
【図７】図７は、本発明の実施の形態２である建具の要部拡大横断面図である。
【図８】図８は、本発明の実施の形態３である建具の横断面図である。
【発明を実施するための形態】
【００２１】
以下、添付図面を参照しながら本発明に係る建具の好適な実施の形態について詳細に説明する。
【００２２】
（実施の形態１）
図１は、本発明の実施の形態１である建具の要部を拡大して示したものである。ここで例示する建具は、図２及び図３に示すように、柱や窓台、まぐさ等の躯体Ｆに支持させた開口枠１０の内部にガラスパネル２０を固定設置した、いわゆる嵌め殺し窓と称されるものである。本実施の形態１では、特に、スペーサ部材２１を挟んで２枚のガラス板２２を積層した複層ガラスパネル２０を適用した建具を例示している。尚、図２及び図３の符号ＯＷは建造物の外装壁、符号ＩＷは建造物の内装壁である。
【００２３】
開口枠１０は、上下左右４つの枠１１を四周枠組みすることにより、ガラスパネル２０よりも大きな矩形状に構成したものである。枠１１のそれぞれは、見付け方向に延在する支持用ヒレ部１２を介して躯体Ｆに支持ネジ１３を締結することにより、躯体Ｆに支持させてある。
【００２４】
開口枠１０を構成する各枠１１には、それぞれの見込み面において室外側に位置する部分に取付片１４が突設してあり、かつ見込み面において室内側に位置する部分にパネル押え３０が配設してある。取付片１４は、枠１１と一体に成形したヒレ状の突出部分であり、互いの先端面によってガラスパネル２０よりも小さい矩形の開口を画成している。尚、それぞれの枠１１は、アルミニウムもしくはアルミニウム合金の押し出し型材によって構成したものを適用している。
【００２５】
パネル押え３０は、枠１１の取付片１４との間にガラスパネル２０を保持するためのもので、個々の枠１１に対して着脱可能に取り付けてある。図２及び図３からも明らかなように、本実施の形態１では、上枠１１及び２つの縦枠１１に対して共通のパネル押え３０が設けてある一方、下枠１１Ｌに対しては別個のパネル押え３０Ｌが設けてある。
【００２６】
上枠１１及び縦枠１１のパネル押え３０は、それぞれ合成樹脂材によって成形した枠部材３１と押え縁部材３２とによって構成してある。
【００２７】
枠部材３１は、枠１１の見込み面を覆う枠カバー部３１ａと、枠カバー部３１ａにおいて室内側に位置する側縁部から枠１１の見込み面に対して離反する方向に屈曲した立上り部３１ｂと、立上り部３１ｂの端部から室内方向に向けて屈曲した額カバー部３１ｃとを一体に成形したものである。額カバー部３１ｃは、立上り部３１ｂから室内側に向けて平板状に延在し、その裏面が躯体Ｆに対向するものである。額カバー部３１ｃの延在縁部には、リップ部３１ｄが設けてある。リップ部３１ｄは、額カバー部３１ｃから躯体Ｆに向けてわずかに突出した部分であり、額カバー部３１ｃの全長に渡って形成してある。
【００２８】
この枠部材３１は、枠カバー部３１ａの室外側に位置する側縁部を枠１１の中間係合ヒレ１５に係合させた後、枠カバー部３１ａを介して枠１１に取付ネジ１６を締結することにより、枠１１に対して着脱可能に取り付けてある。図からも明らかなように、枠部材３１には、室外側に位置する側縁部に立上り部３１ｂに対向する立壁部３１ｅが設けてある。
【００２９】
押え縁部材３２は、一対の係合爪３２ａを介して枠部材３１の立上り部３１ｂ及び立壁部３１ｅに着脱可能に係合し、枠１１の取付片１４に対向して配置されるものである。図１及び図２に示すように、取付片１４及び押え縁部材３２は、互いに対向する部位にそれぞれパッキン２３を備えており、これらのパッキン２３を介して互いの間にガラスパネル２０を挟持している。
【００３０】
これに対して開口枠１０の下枠１１Ｌには、室内側に位置する側縁部に取付片１４と同等に突出した内壁部１７が設けてある。このため、下枠１１Ｌのパネル押え３０は、合成樹脂材によって成形した枠部材３１Ｌによってのみ構成してある。具体的に説明すると、下枠１１Ｌに設けた枠部材３１Ｌは、下枠１１Ｌの見込み面を覆う下枠カバー部３１ａＬと、下枠カバー部３１ａＬにおいて室内側に位置する側縁部から下枠１１Ｌの見込み面に対して離反する方向に屈曲した下枠立上り部３１ｂＬと、下枠立上り部３１ｂＬの端部から室内方向に向けて屈曲した下枠額カバー部３１ｃＬと、下枠カバー部３１ａＬにおいて室外側に位置する側縁部から下枠１１Ｌの見込み面に近接する方向に屈曲した押え壁部３１ｆＬとを一体に成形したものである。下枠額カバー部３１ｃＬは、下枠立上り部３１ｂＬから室内側に向けて平板状に延在し、その裏面が躯体Ｆに対向するものである。下枠額カバー部３１ｃＬの延在縁部には、リップ部３１ｄＬが設けてある。リップ部３１ｄＬは、下枠額カバー部３１ｃＬから躯体Ｆに向けてわずかに突出した部分であり、下枠額カバー部３１ｃＬの全長に渡って形成してある。
【００３１】
この枠部材３１Ｌは、押え壁部３１ｆＬの端部を下枠１１Ｌの中間係合ヒレ１５Ｌに係合させるとともに、下枠立上り部３１ｂＬから下枠１１Ｌの見込み面に向けて突出した係合片部３１ｇＬを下枠１１Ｌの内壁部１７に係合させることにより、下枠１１Ｌに対して着脱可能に取り付けてある。図３に示すように、下枠１１Ｌの取付片１４及び枠部材３１は、互いに対向する部位にそれぞれパッキン２３を備えており、これらのパッキン２３を介して互いの間にガラスパネル２０を挟持している。
【００３２】
一方、開口枠１０の各枠１１には、室内側に位置する部位に額縁部材４０が配設してある。平板状を成す額縁本体４１と、額縁本体４１の縁部に装着した固定具４２とを備えて構成したもので、開口枠１０よりも室内側に位置する部位に額縁状に設けてある。
【００３３】
固定具４２は、図４及び図５に示すように、矩形の平板状を成す連結片４２ａと、連結片４２ａの両側縁部から互いに対向する方向に向けて屈曲した第１挟持片４２ｂ及び第２挟持片４２ｃとを金属の薄板によって一体に成形したものである。図１〜図３に示すように、第１挟持片４２ｂは、枠部材３１の額カバー部３１ｃ及び枠部材３１Ｌの下枠額カバー部３１ｃＬによってその全面を覆うことのできる大きさに形成してある。第２挟持片４２ｃは、連結片４２ａからの突出量が第１挟持片４２ｂよりも大きくなるように構成したもので、ネジ挿通孔４３及び一対の突起４４を有している。
【００３４】
ネジ挿通孔４３は、固定具４２を躯体Ｆに対して支持させる際に固定ネジ４５を挿通させるためのものである。図４及び図５に示すように、第２挟持片４２ｃにおいてネジ挿通孔４３の周囲に位置する部分は、漏斗状に成形してあり、図１〜図３に示すように、固定ネジ４５を挿通させた場合、第２挟持片４２ｃから固定ネジ４５の頭部が突出しないように頭部を収容することが可能である。
【００３５】
突起４４は、図４及び図５に示すように、第２挟持片４２ｃにおいて一対の平行に形成したスリット４４ａの間を曲げ加工することによって固定具４２と一体に成形したものである。これらの突起４４は、第１挟持片４２ｂと第２挟持片４２ｃとの相互間隔をわずかに減少させるように、第２挟持片４２ｃから第１挟持片４２ｂに向けて突出する一方、押圧した場合に弾性的に変形して退行するものである。本実施の形態１では、固定具４２の板厚分だけ第１挟持片４２ｂと第２挟持片４２ｃとの相互間隔が減少するように突起４４が設けてある。
【００３６】
上記の構成を有した固定具４２は、図１〜図３に示すように、連結片４２ａの外表面を枠１１の室内側に向いた見付け面（以下、「内方見付け面１１ａ」という）に当接させるとともに、第１挟持片４２ｂの全面が枠部材３１の額カバー部３１ｃ及び枠部材３１Ｌの下枠額カバー部３１ｃＬによって覆われる位置に配置され、躯体Ｆとの間に適宜スペーサＳを介在させた状態で、第２挟持片４２ｃのネジ挿通孔４３を介して躯体Ｆに固定ネジ４５を締結することにより、躯体Ｆに支持させてある。第１挟持片４２ｂと枠部材３１の額カバー部３１ｃ及び枠部材３１Ｌの下枠額カバー部３１ｃＬとの間は、予めゲル状もしくは液状の接着剤５０を塗布しておき、固定具４２の連結片４２ａを枠１１の内方見付け面１１ａに当接させた際に接着させるようにしている。ここで、図１からも明らかなように、固定具４２の連結片４２ａと枠部材３１の立上り部３１ｂとの間には、固定具４２の連結片４２ａを枠１１の内方見付け面１１ａに当接させた際にも貯留空間ＲＳを確保するようにしている。従って、固定具４２の連結片４２ａを枠１１の内方見付け面１１ａに当接させる際に、予め塗布したゲル状もしくは液状の接着剤５０が奥方に移動したとしても、この貯留空間ＲＳに留めておくことができ、枠部材３１と開口枠１０との接合部に接着剤５０が至る事態を防止することができる。
【００３７】
躯体Ｆに支持させた固定具４２に対しては、図６に示すように、第１挟持片４２ｂと第２挟持片４２ｃとの間に縁部を挿入することによって額縁本体４１を支持させる。すなわち、第１挟持片４２ｂと第２挟持片４２ｃとの間に挿入された額縁本体４１は、第２挟持片４２ｃに設けた突起４４の弾性力によって第１挟持片４２ｂに押圧された状態に維持され、これら第１挟持片４２ｂ及び第２挟持片４２ｃの間に挟持されることになり、固定具４２を介して躯体Ｆに支持される。額縁部材４０を固定具４２に挿入する場合には、作業性を考慮して、予め４枚の額縁部材４０を互いに組み立て額縁状に構成しておくことが好ましい。尚、スペーサＳと躯体Ｆとの間及びスペーサＳと額縁本体４１との間は、それぞれゲル状や液状の接着剤５０によって接着してある。
【００３８】
図２及び図３に示すように、額縁本体４１は、それぞれの室外側に位置する見込み面を覆う枠部材３１の額カバー部３１ｃ及び枠部材３１Ｌの下枠額カバー部３１ｃＬとの間に段差が生じないように、外部に露出した部分の板厚が固定具４２に挟持させた部分よりも大きくなるように構成してある。より具体的には、額縁本体４１の見付け面において室外側に位置する部位に、額カバー部３１ｃ及び下枠額カバー部３１ｃＬの板厚に相当する段状の凹部４１ａを形成することにより、相対的に外部に露出した部分の板厚を大きく構成している。尚、図には明示していないが、固定具４２は、額縁本体４１の全長に渡って配設しても良いが、額縁本体４１の一部に設けるように構成しても構わない。
【００３９】
上記のように構成した建具では、開口枠１０の見込み面が合成樹脂製の枠部材３１によって覆われるため、意匠性の点で優れたものになるばかりでなく、防露性の点でも有利となる。しかも、額縁本体４１を覆う枠部材３１の額カバー部３１ｃ及び枠部材３１Ｌの下枠額カバー部３１ｃＬは、固定具４２の第１挟持片４２ｂに対して接着してある。従って、日射等の影響による温度変化によっても枠部材３１や枠部材３１Ｌに熱変形が発生する事態を防止することができ、額縁本体４１から離隔するなどして外観品質を低下させたり、額縁部材４０の取付強度が低下する事態を招来する恐れもない。加えて、額縁本体４１を覆う枠部材３１の額カバー部３１ｃ及び枠部材３１Ｌの下枠額カバー部３１ｃＬを接着する接着剤５０は、固定具４２の第１挟持片４２ｂとの間に設けたものである。従って、固定具４２の第１挟持片４２ｂと第２挟持片４２ｃとの間に対して額縁本体４１を抜き差しした場合にも、接着剤５０が削り落とされる等の問題が起こることもない。
【００４０】
さらに、額縁部材４０の固定具４２と躯体Ｆとの間及び枠部材３１と開口枠１０との間がそれぞれ着脱可能に支持させてある。具体的には、額縁部材４０の固定具４２は、第２挟持片４２ｃを介して固定ネジ４５を締結することによって躯体Ｆに支持させてあり、枠部材３１は、枠カバー部３１ａの室外側に位置する側縁部を枠１１の中間係合ヒレ１５に係合させた後、枠カバー部３１ａを介して枠１１に取付ネジ１６を締結することによって枠１１に支持させてある。下枠１１Ｌの枠部材３１Ｌは、押え壁部３１ｆＬの端部を下枠１１Ｌの中間係合ヒレ１５Ｌに係合させるとともに、下枠立上り部３１ｂＬから下枠１１Ｌの見込み面に向けて突出した係合片部３１ｇＬを下枠１１Ｌの内壁部１７に係合させることにより、下枠１１Ｌに支持させてある。従って、固定具４２と躯体Ｆとの結合状態及び枠部材３１と開口枠１０との結合状態を解除することで互いを容易に分離することができ、開口枠１０を交換することなく枠部材３１の交換が可能となる。しかも、枠部材３１の額カバー部３１ｃと固定具４２の第１挟持片４２ｂとの間を接着剤５０によって接着しているため、枠部材３１に熱変形を来した場合にも額縁部材４０の固定具４２から離隔する事態を防止することができる。
【００４１】
尚、上述した実施の形態１では、固定具４２を固定ネジ４５によって直接躯体Ｆに締結するようにしているため、額縁部材４０の取付強度をより大きく確保することができるが、本発明はこれに限定されない。例えば、上述した実施の形態１の構成に加え連結片４２ａと枠１１の内方見付け面１１ａとの間を接合手段（図示せず）によって接合しても良く、両者の併用により、取付強度をより向上させるように構成することも可能である。尚、連結片４２ａと枠１１の内方見付け面１１ａとの間を接合する接合手段としては、ゲル状や液状の接着剤、あるいは両面テープを用いることができるし、ネジ等の締結部材を用いて接合しても良い。
【００４２】
また、上述した実施の形態１では、額縁本体４１の固定具４２に挟持させる部分の厚みが、第１挟持片４２ｂと第２挟持片４２ｃとの相互間距離にほぼ等しいものを例示したが、本発明はこれに限定されない。例えば、額縁本体４１の固定具４２に挟持させる部分の厚みが第１挟持片４２ｂと第２挟持片４２ｃとの相互間距離より小さくても良い。但し、この場合には、額縁部材４０と固定具４２との間に隙間が生じてしまうため、当該隙間に板部材等のスペーサを介在させて額縁部材４０の固定具４２に挟持させる部分の厚みを第１挟持片４２ｂと第２挟持片４２ｃとの相互間距離と同じに設定しておくことが好ましい。このような構成にすれば、固定具４２によって額縁本体４１を確実に挟持することができる。
【００４３】
（実施の形態２）
図７は、本発明の実施の形態２である建具を示したものである。ここで例示する建具は、実施の形態１と同様、柱や窓台、まぐさ等の躯体Ｆに支持させた開口枠１０の内部にガラスパネル２０を固定設置した嵌め殺し窓であり、実施の形態１とは枠１１′の構成及び額縁部材４０′の構成が異なっている。
【００４４】
すなわち、実施の形態２の開口枠１０を構成する枠１１′には、対向片部１８が設けてある。対向片部１８は、枠１１′の内方見付け面１１ａにおいて躯体Ｆに近接した部位から室内側に向けて屈曲した部分であり、枠部材３１の額カバー部３１ｃに対してほぼ平行となるように延在している。この対向片部１８には、枠部材３１の額カバー部３１ｃに対向する部位に係合突起１９が形成してあるとともに、ネジ挿通孔１８ａが形成してある。係合突起１９は、額カバー部３１ｃに近接するに従って漸次室外側に傾斜するように突出した部分である。ネジ挿通孔１８ａは、枠１１′を躯体Ｆに対して支持させる際に固定ネジ４５を挿通させるためのものである。
【００４５】
一方、実施の形態２で用いる額縁部材４０′は、平板状を成すもので、室外側に位置する縁部に挿入傾斜面４６及び係止面４７が設けてある。挿入傾斜面４６は、額縁部材４０′の縁部において対向片部１８に近接する隅部に形成したもので、室外側に向けて漸次対向片部１８から離隔する方向に傾斜している。係止面４７は、額縁部材４０′において対向片部１８に対向する裏面に形成した平面であり、室内側に向けて設けてある。より具体的には、額縁部材４０′の裏面に凹溝４８を形成することにより、その室外側に位置する平面を係止面４７として構成してある。係止面４７を設ける位置は、額カバー部３１ｃの端面を額縁部材４０′に形成した段状凹部４１ａの端面に当接させた場合に、対向片部１８の係合突起１９が当接する位置である。
【００４６】
尚、実施の形態２において実施の形態１と同様の構成に関しては、同一の符号を付してそれぞれの詳細説明を省略している。
【００４７】
この建具においては、枠１１′の対向片部１８が躯体Ｆとの間に適宜スペーサＳを介在させた状態で、ネジ挿通孔１８ａを介して躯体Ｆに固定ネジ４５を締結することにより、枠１１′が躯体Ｆに支持させてある。この枠１１′に対して額縁部材４０′を取り付けるには、枠部材３１の額カバー部３１ｃにおいて対向片部１８に対向する内表面に予めゲル状もしくは液状の接着剤５０を塗布しておく。この状態から額カバー部３１ｃと対向片部１８との間に額縁部材４０′の縁部を挿入すると、挿入傾斜面４６が係合突起１９に当接することになる。しかしながら、さらに額縁部材４０′を挿入させれば、挿入傾斜面４６の傾斜作用によって係合突起１９が弾性的に変形して退行することになり、額縁部材４０′の挿入が許容される。額縁部材４０′の挿入が進行し、係止面４７が係合突起１９の先端を通過すると、係合突起１９が弾性復元力によって再び対向片部１８から突出した状態に復帰し、係止面４７に対向した状態となる。従って、額縁部材４０′が脱落方向に移動しようとしても、係合突起１９が係止面４７に当接することによってこれが阻止されることになる。
【００４８】
一方、額縁部材４０′と枠部材３１の額カバー部３１ｃとの間においては、額縁部材４０′の挿入に伴って凹部４１ａの表面に順次接着剤５０が塗布されることになり、両者の間が接着された状態に維持される。
【００４９】
上記のように構成した建具では、開口枠１０の見込み面が合成樹脂製の枠部材３１によって覆われるため、意匠性の点で優れたものになるばかりでなく、防露性の点でも有利となる。しかも、額縁部材４０′を覆う枠部材３１の額カバー部３１ｃは、額縁部材４０′に対して接着剤５０により接着してある。従って、日射等の影響による温度変化によっても枠部材３１に熱変形が発生する事態を防止することができ、額縁部材４０′から離隔するなどして外観品質を低下させたり、額縁部材４０′の取付強度が低下する等の問題を招来する恐れもない。
【００５０】
ここで、上記の建具においては、額カバー部３１ｃの先端に対向片部１８に向けて突出するリップ部３１ｄが設けてある。従って、このリップ部３１ｄの作用により、額縁部材４０′を挿入する際に凹部４１ａの表面と額カバー部３１ｃにおいて予め接着剤５０を塗布した内表面との間に一定の隙間が確保されることになり、接着剤５０のすべてが削り落とされる事態を招来することがない。しかも、額カバー部３１ｃの端面を額縁部材４０′に形成した凹部４１ａの端面に当接させた場合にも、額カバー部３１ｃと立上り部３１ｂと当該立上り部３１ｂに形成した枠１１′の内方見付け面１１ａの端部を覆う室内方向突出部３１ｇとで形成される略凹状の貯留空間ＲＳを確保するようにしている。従って、額縁部材４０′を挿入する際に、予め塗布したゲル状もしくは液状の接着剤５０が奥方に移動したとしても、この貯留空間ＲＳに留めておくことができ、枠部材３１と開口枠１０との接合部に接着剤５０が至る事態を防止することができる。
【００５１】
さらに、額縁部材４０′と躯体Ｆとの間及び枠部材３１と開口枠１０との間がそれぞれ着脱可能に支持させてある。具体的には、額縁部材４０′は、枠１１′の対向片部１８に設けた係合突起１９を係止面４７に当接させることで、開口枠１０を介して躯体Ｆに支持させてあり、枠部材３１は、枠カバー部３１ａの室外側に位置する側縁部を枠１１′の中間係合ヒレ１５に係合させた後、枠カバー部３１ａを介して枠１１′に取付ネジ１６を締結することによって枠１１′に支持させてある。従って、額縁部材４０′と開口枠１０との間の結合状態及び枠部材３１と開口枠１０との結合状態を解除することで互いを容易に分離することができ、開口枠１０を交換することなく枠部材３１の交換が可能となる。
【００５２】
尚、上述した実施の形態２では、枠部材３１の係合突起１９を額縁部材４０′の裏面に形成された係止面４７に当接させることにより、開口枠１０を介して額縁部材４０′を躯体Ｆに支持させているが、本発明はこれに限定されない。例えば、上述した実施の形態２の構成に加え額縁部材４０′の室外側端部と枠１１の内方見付け面１１ａとの間を接合手段（図示せず）によって接合しても良く、両者の併用により、取付強度をより向上させるように構成することも可能である。額縁部材４０′と枠１１の内方見付け面１１ａとの間を接合する接合手段としては、ゲル状や液状の接着剤、あるいは両面テープを用いることができる。接合手段としてゲル状や液状の接着剤を用いた場合には、額縁部材４０′と枠１１との間の接着剤が額縁部材４０′の挿入の際に額縁部材４０′の室外側端部と枠１１との対向面に広がり奥方へ移動する恐れがあるが、奥方へ移動した接着剤を貯留空間ＲＳに留めておくことができ、枠部材３１と開口枠１０との接合部に接着剤が至る事態を防止できる。
【００５３】
また、上述した実施の形態１及び実施の形態２では、建具として嵌め殺し窓を例示しているが、その他の建具にももちろん適用することが可能である。例えば、図８に示す実施の形態３のように、開口枠１０に対して障子であるガラスパネル１２０が室外側に向けて押し開くように構成した建具にも適用可能である。実施の形態３で示す建具は、具体的には「縦辷り出し窓」と称されるもので、左側に位置する縦框（以下、「左框１２１」という）を中心として右側に位置する縦框（以下、「右框１２２」という）が回転可能であり、右框１２２が室外側に突出した場合に開口枠１０が開くことになる。
【００５４】
開口枠１０に設けた枠部材１３０は、枠１１の見込み面を覆う枠カバー部１３０ａと、枠カバー部１３０ａにおいて室内側に位置する側縁部から枠１１の見込み面に対して離反する方向に屈曲した枠立上り部１３０ｂと、枠立上り部１３０ｂの端部から室内方向に向けて屈曲した額カバー部１３０ｃと、枠カバー部１３０ａにおいて室外側に位置する側縁部から枠１１の見込み面に近接する方向に屈曲した枠支持部１３０ｄと、枠カバー部１３０ａにおいて枠支持部１３０ｄよりも室内側に位置する部位から枠１１の見込み面に対して離反する方向に突出し、突出端部に係着部１３０ｆを有した受支持部１３０ｅとを合成樹脂材によって一体に成形したものである。額カバー部１３０ｃは、固定具４２の第１挟持片４２ｂを覆うことのできる大きさを有したものである。受支持部１３０ｅには、室内側に位置する面に受具１３１が取り付けてある。受具１３１は、枠部材１３０の受支持部１３０ｅを介して枠１１の中間ヒレ１５′に取り付けられた部材である。
【００５５】
この枠部材１３０は、受支持部１３０ｅの係着部１３０ｆを枠１１の中間ヒレ１５′に係着させた後、枠カバー部１３０ａを介して枠１１に取付ネジ１６を締結することにより、枠１１に対して着脱可能に取り付けてある。さらに、額カバー部１３０ｃと固定具４２の第１挟持片４２ｂとの間は、ゲル状もしくは液状の接着剤５０によって接着してある。
【００５６】
一方、ガラスパネル１２０には、右框１２２にカムラッチハンドル１３２が設けてある。カムラッチハンドル１３２は、右框１２２の室内側に位置する見付け面に取り付けられ、見込み方向に沿った軸を中心として回転することが可能である。このカムラッチハンドル１３２は、係合部１３２ａを受具１３１に当接させた場合、開口枠１０に対してガラスパネル１２０の右框１２２が室外側に移動するのを阻止し、開口枠１０に対してガラスパネル１２０を閉じた状態に維持する。この状態から、カムラッチハンドル１３２を回転操作し、係合部１３２ａと受具１３１との当接状態を解除すれば、右框１２２と縦枠１１との係合状態も解除されることになり、右框１２２を室外側に突出させることにより、開口枠１０を開くことが可能となる。尚、図８に示す実施の形態３において、実施の形態１と同様の構成に関しては、同一の符号を付してそれぞれの詳細説明を省略している。
【００５７】
上記のように構成した建具では、開口枠１０の見込み面が合成樹脂製の枠部材１３０によって覆われるため、意匠性の点で優れたものになるばかりでなく、防露性の点でも有利となる。しかも、額縁本体４１を覆う枠部材１３０の額カバー部１３０ｃは、固定具４２の第１挟持片４２ｂに対して接着してある。従って、日射等の影響による温度変化によっても枠部材１３０に熱変形が発生する事態を防止することができ、額縁本体４１から離隔するなどして外観品質を低下させる恐れもない。加えて、額縁本体４１を覆う枠部材１３０の額カバー部１３０ｃを接着する接着剤５０は、固定具４２の第１挟持片４２ｂとの間に設けたものである。従って、固定具４２の第１挟持片４２ｂと第２挟持片４２ｃとの間に対して額縁本体４１を抜き差しした場合にも、接着剤５０が削り落とされたり剥がれたりする等の影響を与えることがない。しかも、固定具４２の連結片４２ａと枠部材１３０の立上り部１３０ｂとの間には、固定具４２の連結片４２ａを枠１１の内方見付け面１１ａに当接させた際にも貯留空間ＲＳを確保するようにしている。従って、固定具４２の連結片４２ａを枠１１の内方見付け面１１ａに当接させる際に、予め塗布したゲル状もしくは液状の接着剤５０が奥方に移動したとしても、この貯留空間ＲＳに留めておくことができ、枠部材１３０と開口枠１０との接合部に接着剤５０が至る事態を防止することができる。
【００５８】
さらに、額縁部材４０の固定具４２と躯体Ｆとの間及び枠部材１３０と開口枠１０との間がそれぞれ着脱可能に支持させてある。具体的には、額縁部材４０の固定具４２は、第２挟持片４２ｃを介して固定ネジ４５を締結することによって躯体Ｆに支持させてあり、枠部材１３０は、受支持部１３０ｅの係着部１３０ｆを枠１１の中間ヒレ１５′に係着させた後、枠カバー部１３０ａを介して枠１１に取付ネジ１６を締結することによって支持させてある。従って、固定具４２と躯体Ｆとの結合状態及び枠部材１３０と開口枠１０との結合状態を解除することで互いを容易に分離することができ、開口枠１０を交換することなく枠部材１３０の交換が可能となる。しかも、枠部材１３０の額カバー部３１ｃと固定具４２の第１挟持片４２ｂとの間を接着剤５０によって接着しているため、枠部材１３０に熱変形を来した場合にも額縁部材４０の固定具４２から離隔する事態を防止することができる。
【００５９】
ここで、図８に示す実施の形態３のように、開口枠１０に対してガラスパネル１２０が室外側に移動することによって開口枠１０を開口させる建具では、カムラッチハンドル１３２の係合部１３２ａが受具１３１に当接された状態にあると、室内外の圧力差によってガラスパネル１２０が室外側に引っ張られた場合、支持用ヒレ部１２の端部を中心として縦枠１１が室外側に捲れ上がるように力が作用することになる。
【００６０】
しかしながら、実施の形態３によれば、固定具４２と枠部材１３０との間が接着剤５０により接着され、かつ固定具４２と躯体Ｆとの間が固定ネジ４３によって締結されている。しかも、固定ネジ４３の締結方向は、支持用ヒレ部１２を躯体Ｆに締結する支持ネジ１３の締結方向に対してほぼ直角となる。従って、カムラッチハンドル１３２の係合部１３２ａが枠部材１３０の受具１３１に当接された状態において、室内外の圧力差によってガラスパネル１２０が室外側に引っ張られた場合にも、縦枠１１が室外側に捲れ上がるような事態を有効に防止できる。
【符号の説明】
【００６１】
１０，１０′      開口枠
１１，１１Ｌ      枠
１５      中間係合ヒレ
１６      取付ネジ
１８      対向片部
１９      係合突起
３０，３０Ｌ      パネル押え
３１，３１Ｌ，１３０      枠部材
４０，４０′      額縁部材
４１      額縁本体
４２      固定具
４２ｂ      第１挟持片
４２ｃ      第２挟持片
４４      突起
４５      固定ネジ
４７      係止面
５０      接着剤
Ｆ      躯体
ＲＳ      貯留空間
【図１】
2012202118.tif 000003
【図２】
2012202118.tif 000004
【図３】
2012202118.tif 000005
【図４】
2012202118.tif 000006
【図５】
2012202118.tif 000007
【図６】
2012202118.tif 000008
【図７】
2012202118.tif 000009
【図８】
2012202118.tif 000010